(57)【要約】【課題】停電時により長い時間、ユーザに明かりを提供できる照明装置を提供する。【解決手段】照明装置２０は、外部から供給される電力で発光する主光源２４と、前記外部から供給される電力を蓄積する蓄電回路２３と、蓄電回路２３からの電力で発光する補助光源２５と、停電を検知する停電検知部２１と、停電が検知されてから補助光源２５を点灯させるまでの時間である待機時間を設定する待機時間設定部２７と、停電検知部２１で停電が検知された場合に、待機時間設定部２７で設定された待機時間が経過した後に、補助光源２５を点灯させる補助光源制御部２６とを備える。【選択図】図２
2015103287.tif 000002
【特許請求の範囲】
【請求項１】
外部から供給される電力で発光する主光源と、
前記外部から供給される電力を蓄積する蓄電回路と、
前記蓄電回路からの電力で発光する補助光源と、
停電を検知する停電検知部と、
停電が検知されてから前記補助光源を点灯させるまでの時間である待機時間を可変に設定する待機時間設定部と、
前記停電検知部で停電が検知された場合に、前記待機時間設定部で設定された待機時間が経過した後に、前記補助光源を点灯させる補助光源制御部とを備える
照明装置。
【請求項２】
前記照明装置は、さらに、
リモコンからの信号の受信チャンネルを設定するチャンネル設定部を備え、
前記待機時間設定部は、前記チャンネル設定部で設定された受信チャンネルに応じて、異なる値の待機時間を設定する
請求項１記載の照明装置。
【請求項３】
前記待機時間設定部は、予め定められた複数の待機時間の候補から一つを前記待機時間として設定し、
前記複数の待機時間の候補のうち待機時間が隣り合う候補の時間差の最大値は、前記補助光源の発光可能時間以下である
請求項１又は２記載の照明装置。
【発明の詳細な説明】
【技術分野】
【０００１】
本発明は、照明装置に関する。
【背景技術】
【０００２】
近年、シーリングライト等の照明装置が普及している。一方で、停電時に点灯する停電用保安灯が知られている（例えば、特許文献１参照）。特許文献１記載の停電用保安灯は、商用電源の通電時にコンデンサを充電し、停電時に、このコンデンサの放電電流によりＬＥＤ（Ｌｉｇｈｔ  Ｅｍｉｔｔｉｎｇ  Ｄｉｏｄｅ）を点灯する。
【先行技術文献】
【特許文献】
【０００３】
【特許文献１】特開２００９−１０４７９２号公報
【発明の概要】
【発明が解決しようとする課題】
【０００４】
このような照明装置では、停電時により長い時間、ユーザに明かりを提供できることが望まれている。
【０００５】
そこで、本発明は、停電時により長い時間、ユーザに明かりを提供できる照明装置を提供することを目的とする。
【課題を解決するための手段】
【０００６】
上記目的を達成するために、本発明の一態様に係る照明装置は、外部から供給される電力で発光する主光源と、前記外部から供給される電力を蓄積する蓄電回路と、前記蓄電回路からの電力で発光する補助光源と、停電を検知する停電検知部と、停電が検知されてから前記補助光源を点灯させるまでの時間である待機時間を可変に設定する待機時間設定部と、前記停電検知部で停電が検知された場合に、前記待機時間設定部で設定された待機時間が経過した後に、前記補助光源を点灯させる補助光源制御部とを備える。
【０００７】
例えば、前記照明装置は、さらに、リモコンからの信号の受信チャンネルを設定するチャンネル設定部を備え、前記待機時間設定部は、前記チャンネル設定部で設定された受信チャンネルに応じて、異なる値の待機時間を設定してもよい。
【０００８】
例えば、前記待機時間設定部は、予め定められた複数の待機時間の候補から一つを前記待機時間として設定し、前記複数の待機時間の候補のうち待機時間が隣り合う候補の時間差の最大値は、前記補助光源の発光可能時間以下であってもよい。
【発明の効果】
【０００９】
本発明は、停電時により長い時間、ユーザに明かりを提供できる照明装置を提供できる。
【図面の簡単な説明】
【００１０】
【図１】本発明の実施の形態１に係る照明装置の構成を示す図である。
【図２】本発明の実施の形態１に係る照明装置のブロック図である。
【図３】本発明の実施の形態１に係る停電検知部による停電検知の原理の一例を示す図である。
【図４】本発明の実施の形態１に係る照明装置の動作を示すフローチャートである。
【図５】本発明の実施の形態１に係る複数の照明装置が配置されている様子を示す図である。
【図６】本発明の実施の形態１に係る複数の照明装置の動作例を示す図である。
【図７】本発明の実施の形態２に係る照明装置のブロック図である。
【図８】本発明の実施の形態２に係る操作ボタンの一例を示す図である。
【発明を実施するための形態】
【００１１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１２】
（実施の形態１）
本実施の形態に係る照明装置２０は、停電時に補助光源２５を点灯する。また、照明装置２０は、停電が発生してから予め設定された待機時間が経過した後に補助光源２５を点灯する。これにより、例えば、複数の照明装置２０が配置されている状態において、当該複数の照明装置２０の待機時間が異なる時間に設定されることにより、複数の照明装置２０の補助光源２５を順次点灯させることができる。これにより、全体としてユーザに明かりを提供できる時間を伸ばすことができる。
【００１３】
まず、本実施の形態に照明装置２０の構成を説明する。図１は、本実施の形態に係る照明装置２０の構成を説明するための図である。図１に示す照明システムは、照明装置２０と、照明装置２０を制御するリモコン３０とを備える。
【００１４】
照明装置２０は、リモコン３０によって点灯、消灯及び明るさの調光が制御され、例えば、部屋に設けられるシーリングライトである。リモコン３０は、照明装置２０を制御するための携帯型の操作装置である。
【００１５】
照明装置２０は、主光源２４と、補助光源２５と、リモコン受信部２８と、操作ボタン２９と、常夜灯３２とを備える。なお、各構成要素の配置位置は一例であり、これらの配置は図１に示す例に限定されない。また、照明装置２０は、これらの構成要素の一部を備えなくてもよい。
【００１６】
図２は、図１に示された照明装置２０の構成を示すブロック図である。この照明装置２０は、商用交流電源１１に接続されて動作する。この照明装置２０は、停電検知部２１、電源回路２２、蓄電回路２３、主光源２４、補助光源２５、補助光源制御部２６、及び、待機時間設定部２７を備える。
【００１７】
停電検知部２１は、停電を検知する検出回路であり、商用交流電源１１からの交流電力の供給が絶たれたことを検知する。図３は、停電検知部２１による停電検知の原理の一例を示す図である。いま、商用交流電源１１からの交流電力が、部屋の壁等に設けられた電源スイッチＳＷを介して、電源回路２２が有するトランスＴｒに供給されているとする。停電検知部２１は、トランスＴｒの一次側に供給される電圧、つまり、商用交流電源１１からの交流電圧を直接監視し、そこに一定の閾値以上の電圧が発生していない場合に停電が発生していると検知する回路であり、比較回路、又は、スイッチ回路等で構成される。なお、この停電検知部２１は、停電が発生しているときには、電力を必要としない信号状態（例えば、グランド電位）を出力するように構成され、停電中であっても電力を必要とすることなく、停電を知らせる信号状態を出力し続ける。また、この停電検知部２１は、「停電中」という状態を知らせる信号を出力するので、停電からの復帰（復電）の検知にも用いられる。
【００１８】
なお、停電検知の方法は、上記に限定されず、停電検知部２１は、電源スイッチＳＷより後段の交流電圧、電源回路２２の内部の交流或いは直流電圧、又は、電源回路２２により生成された直流電圧を監視してもよい。なお、これらの場合には、電源スイッチＳＷの切断と、停電とを区別することはできない。また、停電検知部２１は、電圧ではなく電流を監視してもよい。つまり、停電検知部２１は、照明装置２０に外部（商用交流電源１１）から電力が供給されているか否かを検知する。
【００１９】
また、停電検知部２１は、商用交流電源１１からの６０Ｈｚ又は５０Ｈｚの交流信号がゼロクロスするタイミングを検知する回路を備えてもよい。例えば、当該回路は、交流信号がゼロクロスしたタイミングでハイレベルの矩形波を出力する。つまり、通常時には、この矩形波が定期的に出力される。また、停電検知部２１は、この矩形波が定期的に出力されない場合に、停電であると判定する。このような回路を用いることで、後段の制御部（例えば、マイクロコンピュータ）にＡ／Ｄ変換器を内蔵しなくてもよいので、制御部の構成を簡略化できる。
【００２０】
電源回路２２は、商用交流電源１１からの交流電力を直流電力に変換し、得られた直流電力を照明装置２０の各構成要素（停電検知部２１、蓄電回路２３、待機時間設定部２７）に供給する回路である。また、電源回路２２は、得られた直流電力を主光源２４に供給するとともに、主光源２４の点灯を制御する。
【００２１】
蓄電回路２３は、電源回路２２から供給された直流電力を蓄電し、停電時に、補助光源制御部２６に電力を供給する。この蓄電回路２３は、例えば、電解コンデンサ等から構成される。なお、蓄電回路２３は、商用交流電源１１からの交流電力、又は、商用交流電源１１からの交流電力を直流電力に変換する他の電源回路（図示せず）で生成された直流電力を蓄積してもよい。
【００２２】
主光源２４は、この照明装置２０の主要な光源であり、例えば、蛍光灯、白熱灯、及び、ＬＥＤ（Ｌｉｇｈｔ  Ｅｍｉｔｔｉｎｇ  Ｄｉｏｄｅ）のいずれか、又は、それらの組み合わせで構成される。この主光源２４は、電源回路２２から供給される電力で発光する光源であり、停電時、上記電源スイッチＳＷが切断されたとき、又は、リモコン３０による消灯の操作がなされたとき、消灯する。また、主光源２４に供給される電力（主光源２４の明るさ）は、リモコン３０の操作に応じて、電源回路２２により制御される。
【００２３】
補助光源２５は、主光源２４が発光できない場合に補助的に発光する光源であり、例えば、ＬＥＤ等である。この補助光源２５は、本実施の形態では、補助光源制御部２６による制御の下で、蓄電回路２３から供給される電力で発光するので、停電時、及び、上記電源スイッチＳＷが切断された時であっても点灯し得る。ただし、本実施の形態では、補助光源２５は、蓄電回路２３が有するコンデンサ等に一時的に蓄積された電力によって発光するので、発光を継続した場合には、その輝度が徐々に低下していき、一定時間後（例えば、２〜３分後）に消灯する。
【００２４】
補助光源制御部２６は、停電時に蓄電回路２３からの電力を用いて補助光源２５の発光を制御する。具体的には、補助光源制御部２６は、停電発生後、待機時間設定部２７に設定された待機時間が経過した後に、補助光源２５を点灯する。この補助光源制御部２６は、補助光源２５を駆動する（電力を供給する）駆動回路と、待機時間に応じた点灯制御を行う制御部とを含む。制御部は、例えば、制御プログラムを格納したメモリ、タイマー、Ａ／Ｄ及びＤ／Ａ変換器のうち少なくとも一つを内蔵するマイクロコンピュータ等で構成される。
【００２５】
待機時間設定部２７は、停電発生後から補助光源２５が点灯されるまでの時間である待機時間を設定し、設定された待機時間を示す情報を保持する。例えば、この待機時間の設定は、ユーザによる操作ボタン２９及びリモコン３０の少なくとも一方の操作により行われる。また、この待機時間は、例えば、予め定められた複数の待機時間の候補から選択される。なお、待機時間として任意の時間が設定されてもよい。
【００２６】
また、停電中においても動作する必要がある回路（補助光源制御部２６及び待機時間設定部２７）は、蓄電回路２３、照明装置２０が備える他の蓄電回路（図示せず）、及び、照明装置２０に内蔵されている電池等のバッテリー（図示せず）のうち少なくとも一つからの電力の供給を受けて動作する。
【００２７】
次に、以上のように構成された照明装置２０の動作について説明する。
【００２８】
図４は、本実施の形態に係る照明装置２０の動作を示すフローチャートである。ここでは、停電時における照明装置２０の動作手順が示されている。
【００２９】
照明装置２０の補助光源制御部２６は、停電検知部２１で停電が検知されると（Ｓ１０でＹｅｓ）、待機時間設定部２７で設定された待機時間、待機する。次に、補助光源制御部２６は、待機時間が経過したことを内蔵のタイマー等によって確認した後に（Ｓ１１でＹｅｓ）、補助光源２５を点灯する（Ｓ１２）。なお、待機時間が経過したことを判定する方法は、タイマー等を用いる方法に限らない。例えば、容量素子の充放電で時間の経過を判定するアナログ回路が用いられてもよい。
【００３０】
このような制御により、停電が発生し、待機時間が経過した後に、補助光源２５が点灯する。
【００３１】
以下、図５に示すように、３台の照明装置２０ａ〜２０ｃが設置されている場合を説明する。ここで、照明装置２０ａ〜２０ｃの各々は上述した照明装置２０である。また、各照明装置２０ａ〜２０ｃの待機時間は異なる値に設定されている。具体的には、照明装置２０ａの待機時間は「０」に設定されており、照明装置２０ｂの待機時間は「時間Ｔ１（＞０）」に設定されており、照明装置２０ｃの待機時間は「時間Ｔ２（＞時間Ｔ１）」に設定されている。
【００３２】
この場合、図６に示されるように、複数の照明装置２０ａ〜２０ｃの補助光源２５は、時間をずらして、順に、点灯される。図６は、時間の経過を横軸とし、照明装置２０ａ〜２０ｃそれぞれの補助光源２５の明るさを縦軸とするグラフである。このグラフから分かるように、停電が発生するとまず、待機時間に「０」が設定されている照明装置２０ａの補助光源２５が点灯し、その後時間の経過に伴って暗くなっていくが、消灯する直前に、待機時間にＴ１が設定されている照明装置２０ｂの補助光源２５が点灯する。その後、その照明装置２０ｂの補助光源２５が時間の経過に伴って暗くなっていくが、消灯する直前に、待機時間にＴ２に設定されている照明装置２０ｃの補助光源２５が点灯する。
【００３３】
このように、停電時には、まず一台の照明装置の補助光源２５が点灯し、徐々に輝度が低下して消灯する直前に他の一台の照明装置の補助光源２５が点灯を開始する。このような複数の補助光源２５による連携した連続点灯が照明装置の台数分、継続される。これにより、部屋に複数の照明装置２０ａ〜２０ｃが設置されている場合には、一台の照明装置だけが設置されている場合に比べ、停電時に、より長い時間、補助光源２５によって部屋が照明される。
【００３４】
ここで、一つの照明装置２０が消灯する前に、次の照明装置２０が点灯するように待機時間が設定されることが好ましい。つまり、蓄電回路２３からの電力供給により補助光源２５が点灯できる発光可能時間をＴ０とすると、複数の待機時間の候補のうち待機時間が隣り合う候補の時間差の最大値は、発光可能時間Ｔ０以下であってもよい。つまり、図６の例では、Ｔ１及びＴ１−Ｔ２は共にＴ０以下である。なお、隣り合う候補の時間差は、同じであってもよいし、異なってもよい。つまり、Ｔ１と、Ｔ１−Ｔ２は同じであってもよいし、異なってもよい。また、この例では、最も短い待機時間の候補が「０」である例を説明したが、最も短い待機時間の候補は「０」でなくてもよい。
【００３５】
また、ここでは照明装置２０の台数が３台の場合を説明したが、２台又は４台以上の場合にも同様の効果を得られる。
【００３６】
以上のように、本実施の形態に係る照明装置２０は、外部から供給される電力で発光する主光源２４と、前記外部から供給される電力を蓄積する蓄電回路２３と、蓄電回路２３からの電力で発光する補助光源２５と、停電を検知する停電検知部２１と、停電が検知されてから補助光源２５を点灯させるまでの時間である待機時間を可変に設定する待機時間設定部２７と、停電検知部２１で停電が検知された場合に、待機時間設定部２７で設定された待機時間が経過した後に、補助光源２５を点灯させる補助光源制御部２６とを備える。これにより、複数の照明装置２０ａ〜２０ｃの待機時間がずらして設定されることにより、複数の照明装置２０ａ〜２０ｃの補助光源２５が、時間をずらして、順に、点灯する。よって、部屋に複数の照明装置２０ａ〜２０ｃが設置されている場合には、一台の照明装置だけが設置されている場合に比べ、停電時に、より長い時間、補助光源２５によって部屋が照明される。
【００３７】
また、待機時間設定部２７は、予め定められた複数の待機時間の候補から一つを待機時間として設定し、複数の待機時間の候補のうち待機時間が隣り合う候補の時間差（Ｔ１、Ｔ２−Ｔ１）の最大値は、補助光源２５の発光可能時間（Ｔ０）以下である。これにより、ある照明装置２０の補助光源２５が消灯するまえに、別の照明装置２０の補助光源２５が点灯される。
【００３８】
（実施の形態２）
本実施の形態では、上記実施の形態１に係る照明装置２０の変形例について説明する。本実施の形態に係る照明装置２０Ａでは、リモコン３０の受信チャンネル設定に応じて、待機時間が自動的に決定される。これにより、ユーザが待機時間を設定する手間を削減できる。
【００３９】
図７は、本実施の形態に係る照明装置２０Ａのブロック図である。図７に示す照明装置２０Ａは、図２に示す照明装置２０の構成に加え、さらに、チャンネル設定部３１を備える。また、待機時間設定部２７Ａの機能が待機時間設定部２７と異なる。
【００４０】
チャンネル設定部３１は、リモコン３０からの信号の受信チャンネルを設定する。ここで、受信チャンネルとは、リモコン３０から照明装置２０Ａへの通信（赤外線通信）に用いられるチャンネルである。例えば、図５に示すように３台の照明装置２０ａ〜２０ｃが配置されている場合、これらの照明装置２０ａ〜２０ｃには異なる受信チャンネルが設定される。そして、ユーザは、操作対象の照明装置に設定されているチャンネルをリモコン３０に設定したうえで、リモコン３０を操作することにより、操作対象の照明装置のみを操作することができる。これにより、一つのリモコン３０により複数の照明装置を独立して制御できる。なお、複数の照明装置に同じ受信チャンネルが設定されている場合には、リモコン３０に対する操作により、当該複数の照明装置が同時に操作される。
【００４１】
例えば、ユーザが、照明装置２０Ａに設けられている操作ボタン２９を操作することにより、受信チャンネルが設定される。図８は、操作ボタン２９の一例を示す図である。例えば、ユーザによりチャンネル設定用の操作ボタン２９ａが押されると、照明装置２０は、チャンネル設定モードに移行する。この状態において、リモコン３０が操作されることで、任意の受信チャンネルが設定される。
【００４２】
なお、受信チャンネルの設定方法は、これに限定されない。例えば、照明装置２０Ａに受信チャンネルを設定するための複数のボタンが設けられていてもよいし、受信チャンネルを切り替えるためのスイッチが設けられていてもよい。
【００４３】
待機時間設定部２７Ａは、チャンネル設定部３１で設定された受信チャンネルに応じて、異なる値の待機時間を設定する。例えば、待機時間の候補の数は、設定可能なチャンネル数に等しい。図６に示す例のように、待機時間の候補は、「０」、「Ｔ１」、「Ｔ２」の３つであり、チャンネル数が３（ＣＨ１、ＣＨ２、ＣＨ３）である場合には、待機時間設定部２７Ａは、受信チャンネルがＣＨ１に設定されていれば、待機時間として「０」を設定し、受信チャンネルがＣＨ２に設定されていれば、待機時間として「Ｔ１」を設定し、受信チャンネルがＣＨ３に設定されていれば、待機時間として「Ｔ２」を設定する。なお、チャンネル数及び待機時間の候補の数はこの例に限定されてない。
【００４４】
以上のように、本実施の形態に係る照明装置２０Ａは、リモコン３０からの信号の受信チャンネルを設定するチャンネル設定部３１を備え、待機時間設定部２７Ａは、チャンネル設定部３１で設定された受信チャンネルに応じて、異なる値の待機時間を設定する。これにより、受信チャンネルの設定に応じて自動的に待機時間が設定されるので、ユーザが待機時間を設定する手間が削減される。
【００４５】
なお、待機時間の設定方法は、上記に限定されない。例えば、照明装置２０Ａに待機時間を設定するための１又は複数のボタンが設けられていてもよいし、待機時間を切り替えるためのスイッチが設けられていてもよい。また、リモコン３０を介して待機時間が設定されてもよい。また、これらのボタン、スイッチ及びリコモン３０のうち２以上が用いられてもよい。
【００４６】
また、図８に示すように複数の操作ボタン２９ａ〜２９ｃが設けられている場合には、これらの複数の操作ボタン２９ａ〜２９ｃが、待機時間の設定に用いられてもよい。ここで、操作ボタン２９ａは、上述したように受信チャンネルの設定のためのボタンである。操作ボタン２９ｂは、照明装置２０Ａの音出力の入／切を設定するためのボタンである。具体的には、照明装置２０Ａがリモコン３０を介して、又は直接、操作された際に、照明装置２０Ａが操作音を出すか否かが切り替えられる。操作ボタン２９ｃは、照明装置２０Ａの主光源２４の点灯／消灯を切り替えるためのボタンである。つまり、他の用途に用いられる操作ボタンを含む、１以上の操作ボタンを用いて、待機時間が設定されてもよい。
【００４７】
具体的には、待機時間の候補の数が３つの場合には、３つの操作ボタン２９ａ〜２９ｃが各待機時間の候補に対応する。例えば、ある待機時間の候補に対応する操作ボタンが長押しされることで、当該候補が待機時間に設定される。なお、所定の操作が行われた後に、ある待機時間の候補に対応する操作ボタンが押下されることで、当該候補が待機時間に設定されてもよい。
【００４８】
以上、本発明の実施の形態に係る照明装置について、実施の形態に基づいて説明したが、本発明は、これらの実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【００４９】
例えば、上記実施の形態では、蓄電回路２３は、電解コンデンサで構成されたが、二次電池であってもよい。
【００５０】
また、上記実施の形態では、補助光源２５は、蓄電回路２３からの電力で発光したが、照明装置２０に内蔵される電池等のバッテリーからの電力で発光してもよい。
【００５１】
また、上記実施の形態では、主光源２４及び補助光源２５は、ＬＥＤ等であったが、有機ＥＬ（Ｅｌｅｃｔｒｏ−Ｌｉｍｉｎｅｓｃｅｎｃｅ）素子であってもよい。
【００５２】
また、上記実施の形態に係る照明装置又は照明システムに含まれる複数の処理部の少なくとも一部は、集積回路であるＬＳＩとして実現されてもよい。これらは個別に１チップ化されてもよいし、一部又は全てを含むように１チップ化されてもよい。
【００５３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００５４】
また、上記各実施の形態において、複数の構成要素の一部又は全ては、専用のハードウェアで構成されるか、各構成要素に適したソフトウェアプログラムを実行することによって実現されてもよい。各構成要素は、ＣＰＵまたはプロセッサなどのプログラム実行部が、ハードディスク又は半導体メモリなどの記録媒体に記録されたソフトウェアプログラムを読み出して実行することによって実現されてもよい。
【００５５】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００５６】
また、上記処理に含まれるステップが実行される順序は、本発明を具体的に説明するために例示するためのものであり、上記以外の順序であってもよい。また、上記ステップの一部が、他のステップと同時（並列）に実行されてもよい。
【符号の説明】
【００５７】
１１  商用交流電源
２０、２０ａ、２０ｂ、２０ｃ、２０Ａ  照明装置
２１  停電検知部
２２  電源回路
２３  蓄電回路
２４  主光源
２５  補助光源
２６  補助光源制御部
２７、２７Ａ  待機時間設定部
２８  リモコン受信部
２９、２９ａ、２９ｂ、２９ｃ  操作ボタン
３０  リモコン
３１  チャンネル設定部
３２  常夜灯
【図１】
2015103287.tif 000003
【図２】
2015103287.tif 000004
【図３】
2015103287.tif 000005
【図４】
2015103287.tif 000006
【図５】
2015103287.tif 000007
【図６】
2015103287.tif 000008
【図７】
2015103287.tif 000009
【図８】
2015103287.tif 000010